(57)【要約】【課題】本発明は、電気的特性を有する回路を自動調整することによって、製造上のばらつきに関わらず、常に最適な周波数特性を得ることが可能な自動調整回路を提供することを目的とする。【解決手段】本発明による自動調整回路は、入力信号の周波数により規定される電気的特性を有する回路であるフィルタ回路１０１を調整する自動調整回路であって、フィルタ１０１回路から出力された信号を検出し、検出結果に基づいてフィルタ回路１０１の電気的特性を調整する検出回路１０４と、固定の周波数を発信する固定周波数発信器１０２と、固定周波数発信器１０２の出力を受け、予め設定された信号値に応じて所定の周波数を有する信号を発生させるプログラマブル周波数合成器１０５とを備え、フィルタ回路１０１の調整時に所定の周波数を有する信号がフィルタ回路１０１に入力されることを特徴とする。【選択図】図１
2008199376.tif 000002
【特許請求の範囲】
【請求項１】
入力信号の周波数により規定される電気的特性を有する回路を調整する自動調整回路であって、
前記電気的特性を有する回路から出力された信号を検出し、検出結果に基づいて当該回路の前記電気的特性を調整する検出回路と、
固定の周波数を発信する発信器と、
前記発信器の出力を受け、予め設定された信号値に応じて所定の周波数を有する信号を発生させる周波数合成器と、
を備え、前記電気的特性を有する回路の調整時に前記所定の周波数を有する信号が当該回路に入力されることを特徴とする、自動調整回路。
【請求項２】
前記電気的特性を有する回路は複数あり、各々の前記電気的特性を有する回路は、単一の前記検出回路、前記発信器、前記周波数合成回路を共有することを特徴とする、請求項１に記載の自動調整回路。
【請求項３】
前記電気的特性を有する回路は複数あり、各々の前記電気的特性を有する回路に対して各々の前記検出回路を配置するとともに、各々の前記電気的特性を有する回路は単一の前記発信器および前記周波数合成回路を共有することを特徴とする、請求項１に記載の自動調整回路。
【請求項４】
前記周波数合成器は、プログラム可能な周波数シンセサイザーであることを特徴とする、請求項１に記載の自動調整回路。
【請求項５】
前記検出回路は、マイクロコンピュータを備えることを特徴とする、請求項１に記載の自動調整回路。
【請求項６】
前記電気的特性を有する回路は、フィルタ回路であることを特徴とする、請求項１に記載の自動調整回路。
【請求項７】
前記電気的特性を有する回路は、ＦＭ検波回路であることを特徴とする、請求項１に記載の自動調整回路。
【発明の詳細な説明】
【技術分野】
【０００１】
本発明は、半導体集積回路の内部に備えられた自動調整回路に関する。
【背景技術】
【０００２】
例えばブラウン管テレビは、ブラウン管に映し出された画像が最適になるようにテレビ内部に備えられているＩＣによって調整する必要がある。従来の調整は、調整すべき電気的特性に合わせて設けられた固定周波数発信器をテレビに内蔵し、外部からテレビに信号が入力されていないとき（例えば、テレビのプラグをコンセントに挿したとき、テレビのリモコンのスイッチをＯＮにした瞬間、無信号時など）の間に固定周波数発信器から信号を発信し、信号をフィルタ回路等の調整対象回路（以下、フィルタという）に入力することにより、フィルタの電気的特性を調整していた。その際、フィルタが所望の電気的特性を有しているのかをフィルタ出力から検出して判断するために検出回路を設けており、検出回路は検出した結果をフィルタにフィードバックさせることによって、フィルタから出力される信号が最適になるようにその電気的特性を制御している。すなわち、このような動作をするために、固定周波数発信器からの信号がフィルタに入力されたとき、フィルタから出力される信号が最適になるように検出回路で調整するような自動調整回路を備えた構成となっている。このような構成にすることによって、フィルタの特性を常に所望の電気的特性にすることが可能となる。
【発明の開示】
【発明が解決しようとする課題】
【０００３】
従来の調整方法において、電気的特性の異なるフィルタが複数ある場合には、それぞれのフィルタに対応した固定周波数発信器が必要となるため、コスト面で問題となる。
【０００４】
また、電気的特性の異なる複数のフィルタに対して単体の固定周波数発信器を使用する場合には、発信器から発信される信号の周波数と調整すべきフィルタの各電気的特性に合わせた周波数との差異を考慮した調節が必要となり、この調節はフィルタの制御特性が既知であれば差異を考慮した調節が可能であり、発信器と異なる周波数が必要であってもフィルタを自動調整することができる。しかし、フィルタの制御特性が製造上のばらつきを持つ場合、差異を考慮したフィルタの調節を行ったとしてもばらつき分のずれが生じてしまうという問題があった。
【０００５】
本発明は、このような問題を解決するためになされたもので、電気的特性を有する回路を自動調整することによって、製造上のばらつきに関わらず、常に最適な周波数特性を得ることが可能な自動調整回路を提供することを目的とする。
【課題を解決するための手段】
【０００６】
上記の問題を解決するために、この発明の一実施の形態である自動調整回路は、入力信号の周波数により規定される電気的特性を有する回路を調整する自動調整回路であって、電気的特性を有する回路から出力された信号を検出し、検出結果に基づいて当該回路の電気的特性を調整する検出回路と、固定の周波数を発信する発信器と、発信器の出力を受け、予め設定された信号値に応じて所定の周波数を有する信号を発生させる周波数合成器とを備え、電気的特性を有する回路の調整時に所定の周波数を有する信号が当該回路に入力されることを特徴とする。
【発明の効果】
【０００７】
この実施の形態によれば、検出回路は電気的特性を有する回路から出力された信号を検出し、検出結果に基づいて当該回路の電気的特性を調整し、周波数合成器は発信器の出力を受け、予め設定された信号値に応じて所定の周波数を有する信号を発生させ、電気的特性を有する回路の調整時に所定の周波数を有する信号が当該回路に入力されることを特徴とするため、電気的特性を有する回路の製造上のばらつきに関わらず、内部に備えられた発信器を用いることで、自動調整によって常に最適な周波数特性を得ることが可能になるという効果がある。
【発明を実施するための最良の形態】
【０００８】
本発明の実施形態について、図面に基づいて以下に説明する。
【０００９】
〈実施形態１〉
図１は、本発明の実施形態１による自動調整回路のブロック図である。図１に示すように、入力信号の周波数により規定される電気的特性を有する回路であるフィルタ回路１０１に入力した信号は、当該電気的特性に応じてフィルタリングされて出力される。フィルタ回路１０１の調整時において、検出回路１０４はフィルタ回路１０１から出力された信号を検出し、検出結果に基づいてフィルタ回路１０１の電気的特性が所望となるように調整している。また、プログラマブル周波数合成器１０５は、固定の周波数を発信する固定周波数発信器１０２の出力を受け、検出回路１０４に（あるいは検出回路１０４以外に）予め設定された信号に応じて所定の周波数を有する信号を発生させる。スイッチ１０３は、外部から入力される通常動作時の信号とプログラマブル周波数合成器１０５から入力される調整時の信号とを切り替えてフィルタ回路１０１に出力している。
【００１０】
次に動作について説明する。外部からの入力信号がないとき（例えば、テレビのプラグをコンセントに挿したとき、テレビのリモコンのスイッチをＯＮにした瞬間、無信号時など）にスイッチ１０３をプログラマブル周波数合成器１０５側に接続し、フィルタ回路１０１の電気的特性を調整する。プログラマブル周波数合成器１０５は、固定の周波数を発信する固定周波数発信器１０２から入力される信号と、検出回路１０４に予め設定されているプログラマブル周波数データとから、フィルタ回路１０１が必要とする所定の周波数を有する信号を発生させる。ここで、固定周波数発信器１０２はフィルタ回路１０１に対する専用の発信器でなくとも、例えばテレビに備えられている発信器などいかなる周波数の発信器であってもよい。また、検出回路１０４に予め設定されているプログラマブル周波数データはフィルタ回路１０１が必要とする周波数に対応して決定されたデジタル値であって、固定周波数発信器１０２の周波数を考慮した値となっており、電気的特性の異なるフィルタ回路１０１が複数ある場合には各々のフィルタ回路１０１に対応するプログラマブル周波数データが必要となる。プログラマブル周波数合成器１０５から出力された信号は、スイッチ１０３を介してフィルタ回路１０１に入力される。検出回路１０４はフィルタ回路１０１からの信号を検出し、検出結果をフィルタ回路１０１にフィードバックすることによって、フィルタ回路１０１から出力される信号が所望の周波数特性（この場合はフィルタ特性）によりフィルタリングされた結果としての信号となるようにフィルタ回路１０１を微調整している。このような構造にすることによって、フィルタ回路１０１の電気的特性が常に所望となるように調整することが可能となる。
【００１１】
図２は、本発明の実施形態によるプログラマブル周波数合成器のブロック図である。図２に示すように、プログラマブル周波数合成器１０５はＤＤＳ（ダイレクト・デジタル・シンセサイザ）によって構成されており、プログラムすることによって所望の周波数を出力することが可能となる。フルアダー２０１では、固定周波数発信器１０２から入力される固定クロックのタイミングに合わせて検出回路１０４から入力されるプログラマブル周波数データが加算される。フルアダー２０１から出力された信号は、ラッチ２０２に出力される。ラッチ２０２から出力された信号はＳｉｎＲＯＭテーブル２０３に入力され、ＳｉｎＲＯＭテーブル２０３においてＳｉｎ波形の信号が形成される。Ｄ−Ａ２０４でアナログ信号に変換された後に、ＬＰＦ２０５を通過してプログラマブル周波数合成器出力として出力される。このプログラマブル周波数合成器１０５を用いることによって、固定周波数発信器１０２から出力される信号の周波数はフィルタ回路１０１が必要としている周波数と同一でなく何であってもよい。必要な周波数はプログラマブル周波数データによりどのようにでも指定できる。なお、本発明の実施形態におけるプログラマブル周波数合成器は、プログラム可能な周波数シンセサイザーなど、プログラムが可能で周波数を合成するような構成であればいかなるものでもよい。また、検出回路はマイクロコンピュータなどであってもよい。
【００１２】
以上のことから、プログラマブル周波数合成器を用いてフィルタ回路の電気的特性を自動調整することによって、特に複数のフィルタ回路を調整する場合に、フィルタ回路の製造上のばらつきに関わらず、常に最適な周波数特性を得ることが可能となる。また、外部からの信号入力を利用することなく、内部に備えられた周波数発信器を用いることによって構成の簡略化が可能となる。さらに、内部に備えられた周波数発信器は、いかなる周波数の発信器であってもよく、新たに発信器を備える必要がない。
【００１３】
〈実施形態２〉
図３は、本発明の実施形態２による自動調整回路のブロック図である。実施形態２は実施形態１におけるフィルタ回路１０１がＦＭ検波回路３０１である以外は同様である。よって、実施形態２における構成の説明についてはここでは省略する。
【００１４】
次に動作について説明する。外部からの入力信号がないとき（例えば、テレビのプラグをコンセントに挿したとき、テレビのリモコンのスイッチをＯＮにした瞬間、無信号時など）にスイッチ３０３をプログラマブル周波数合成器３０５側に接続し、ＦＭ検波回路３０１の中心周波数を調整する。プログラマブル周波数合成器３０５は、固定の周波数を発信する固定周波数発信器３０２から入力される信号と、検出回路３０４に予め設定されているプログラマブル周波数データとから、ＦＭ検波回路３０１が必要とする周波数を有する信号を発生させる。ここで、固定周波数発信器３０２はＦＭ検波回路３０１に対する専用の発信器でなくとも、例えばテレビに備えられている発信器などいかなる周波数の発信器であってもよい。また、検出回路３０４に予め設定されているプログラマブル周波数データはＦＭ検波回路３０１が必要とする周波数に対応して決定されたデジタル値であって、固定周波数発信器３０２の周波数を考慮した値となっており、電気的特性の異なるＦＭ検波回路３０１が複数ある場合には各々のＦＭ検波回路３０１に対応するプログラマブル周波数データが必要となる。プログラマブル周波数合成器３０５から出力された信号は、スイッチ３０３を介してＦＭ検波回路３０１に入力される。検出回路３０４はＦＭ検波回路３０１からの信号を検出し、検出結果をＦＭ検波回路３０１にフィードバックすることによって、ＦＭ検波回路３０１から出力される信号が所望の周波数特性（この場合はＦＭ検波特性）によりＦＭ検波された結果としての信号となるようにＦＭ検波回路３０１の中心周波数を微調整している。このような構造にすることによって、ＦＭ検波回路３０１の電気的特性が常に所望となるように調整することが可能となる。
【００１５】
以上のことから、プログラマブル周波数合成器を用いてＦＭ検波回路の中心周波数を自動調整することによって、特に複数のＦＭ検波回路を調整する場合に、ＦＭ検波回路の製造上のばらつきに関わらず、常に最適な周波数特性を得ることが可能となる。また、外部からの信号入力を利用することなく、内部に備えられた周波数発信器を用いることによって構成の簡略化が可能となる。さらに、内部に備えられた周波数発信器は、いかなる周波数の発信器であってもよく、新たに発信器を備える必要がない。
【００１６】
〈実施形態３〉
図４は、本発明の実施形態３による単一の検出回路を備えた自動調整回路のブロック図である。実施形態３は実施形態１と実施形態２とを合わせたものであり、ＦＭ検波回路４０１１およびフィルタ回路４０１２は、固定周波数発信器４０２、プログラマブル周波数合成器４０５、検出回路４０４の各々を共有している。特に、ＦＭ検波回路４０１１およびフィルタ回路４０１２は、検出回路４０４を共有することを特徴としている。検出回路４０４には例えばマイクロコンピュータなどデジタルで処理するような回路が想定される。
【００１７】
図４の構成の動作としては、検出回路４０４にはＦＭ検波回路４０１１およびフィルタ回路４０１２に対応するプログラマブル周波数データが予め設定されており、ＦＭ検波回路４０１１およびフィルタ回路４０１２に最適な周波数の信号がプログラマブル周波数合成器４０５によって生成される。そして、スイッチ４０３１またはスイッチ４０３２によって通常動作時の信号（ＦＭ検波入力、フィルタ入力）と調整時の信号（プログラマブル周波数合成器４０５の出力）とが選択されてＦＭ検波回路４０１１およびフィルタ回路４０１２に入力される。なお、ＦＭ検波回路４０１１とフィルタ回路４０１２の調整は順番に行われる。その他の構成や動作については、実施形態１および実施形態２と同様である。
【００１８】
以上のことから、プログラマブル周波数合成器を用いてＦＭ検波回路の中心周波数とフィルタ回路の電気的特性とをそれぞれ自動調整することによって、特に複数のＦＭ検波回路やフィルタ回路を調整する場合に、ＦＭ検波回路やフィルタ回路の製造上のばらつきに関わらず、常に最適な周波数特性を得ることが可能となる。また、外部からの信号入力を利用することなく、内部に備えられた周波数発信器を用いることによって構成の簡略化が可能となる。さらに、内部に備えられた周波数発信器は、いかなる周波数の発信器であってもよく、新たに発信器を備える必要がない。そして、固定周波数発信器、プログラマブル周波数合成器、検出回路を共有して複数のＦＭ検波回路やフィルタ回路などを制御し、特に検出回路に備えられたマイクロコンピュータによるプログラムによって、複数の回路を個別に調整することが可能であるため、回路の数が削減されてコストの低減につながる。
【００１９】
図５は、本発明の実施形態３による複数の検出回路を備えた自動調整回路のブロック図である。図５は図４と違い、ＦＭ検波回路５０１１およびフィルタ回路５０１２の各々に対応する検出回路５０４２および検出回路５０４１を備えていることを特徴としている。  検出回路５０４１にはフィルタ回路５０１２に対応したプログラマブル周波数データが予め設定されており、プログラマブル周波数合成器５０５によってフィルタ回路５０１２に最適な周波数の信号が生成される。また、検出回路５０４２にはＦＭ検波回路５０１１に対応したプログラマブル周波数データが予め設定されており、プログラマブル周波数合成器５０５によってＦＭ検波回路５０１１に最適な周波数の信号が生成される。
【００２０】
以上のことから、プログラマブル周波数合成器を用いてＦＭ検波回路の中心周波数とフィルタ回路の電気的特性とをそれぞれ自動調整することによって、特に複数のＦＭ検波回路やフィルタ回路を調整する場合に、ＦＭ検波回路やフィルタ回路の製造上のばらつきに関わらず、常に最適な周波数特性を得ることが可能となる。また、外部からの信号入力を利用することなく、内部に備えられた周波数発信器を用いることによって構成の簡略化が可能となる。さらに、内部に備えられた周波数発信器は、いかなる周波数の発信器であってもよく、新たに発信器を備える必要がない。そして、固定周波数発信器、プログラマブル周波数合成器を共有して複数のＦＭ検波回路やフィルタ回路などを制御することが可能であるため、回路の数が削減されてコストの低減につながる。なお、実施形態３ではＦＭ検波回路とフィルタ回路との組み合わせの場合について説明したが、フィルタ回路やＦＭ検波回路が複数備えられている場合には、図４または図５に示した構成をとることによって、図１または図３に示した構成の動作が可能となる。
【図面の簡単な説明】
【００２１】
【図１】本発明の実施形態１による自動調整回路のブロック図である。
【図２】本発明の実施形態によるプログラマブル周波数合成器のブロック図である。
【図３】本発明の実施形態２による自動調整回路のブロック図である。
【図４】本発明の実施形態３による単一の検出回路を備えた自動調整回路のブロック図である。
【図５】本発明の実施形態３による複数の検出回路を備えた自動調整回路のブロック図である。
【符号の説明】
【００２２】
１０１  フィルタ回路、１０２  固定周波数発信器、１０３  スイッチ、１０４  検出回路、１０５  プログラマブル周波数合成器、３０１  ＦＭ検波回路、３０２  固定周波数発信器、３０３  スイッチ、３０４  検出回路、３０５  プログラマブル周波数合成器、４０１１  ＦＭ検波回路、４０１２  フィルタ回路、４０２  固定周波数発信器、４０３１  スイッチ、４０３２  スイッチ、４０４１  検出回路、４０４２  検出回路、４０５  プログラマブル周波数合成器。
【図１】
2008199376.tif 000003
【図２】
2008199376.tif 000004
【図３】
2008199376.tif 000005
【図４】
2008199376.tif 000006
【図５】
2008199376.tif 000007